(57)【要約】【課題】  メータ本体の下端面にガス導入口及びガス導出口が設けられたガスメータにおいて、ガスメータを地面に載置したときに、ガス導入口及びガス導出口に土や砂が付着することがないようにする。【解決手段】ガス導入口１２及びガス導出口１３には、第１及び第２接続ナット１５，１７をそれぞれ回動可能に、かつ下方へ抜け止めされた状態で設ける。ガス導入口１２及びガス導出口１３には、保護部材３の一端部と他端部とを着脱可能に取り付ける。保護部材３の下面３ｄを、ガス導入口１２及びガス導出口１３の下端面並びに第１及び第２接続ナット１５，１７の下端面より下方に位置させる。【選択図】図２
2009014593.tif 000002
【特許請求の範囲】
【請求項１】
ガスメータ本体の下端面に下方に突出するガス導入口及びガス導出口が設けられたガスメータにおいて、
上記ガス導入口及び上記ガス導出口には、保護部材の一端部及び他端部がそれぞれ着脱可能に取り付けられており、上記保護部材の下端が上記ガス導入口及び上記ガス導出口の各下端より下方に位置させられていることを特徴とするガスメータ。
【請求項２】
上記保護部材を前方から見たとき、上記保護部材が上記ガス導入口及び上記ガス導出口を覆うように、上記保護部材の大きさが設定されていることを特徴とする請求項１に記載のガスメータ。
【請求項３】
上記ガス導入口及び上記ガス導出口には、第１及び第２接続ナットが回動可能に、かつ下方へ抜け止め状態でそれぞれ設けられており、上記保護部材を前方から見たとき、上記保護部材が上記ガス導入口、上記ガス導出口、上記第１接続ナット及び上記第２接続ナットを覆うように、上記保護部材の大きさが設定されていることを特徴とする請求項１に記載のガスメータ。
【請求項４】
水平な支持部を有するユニット本体、並びに上端部を上記支持板部から上方へ突出させた状態で上記支持部にそれぞれ設けられた第１及び第２継手管を有する支持ユニットの上記第１及び第２継手管の上端部に、ガスメータ本体の下端面に下方に突出するガス導入口及びガス導出口が設けられたガスメータの上記ガス導入口及び上記ガス導出口を、それぞれ第１、第２接続ナットを介して接続するガスメータの接続構造において、
上記ガス導入口及び上記ガス導出口には、保護部材の一端部及び他端部がそれぞれ着脱可能に取り付けられており、上記保護部材の下端が、上記ガス導入口及び上記ガス導出口の各下端より下方に位置させられ、上記支持部にほぼ接するように位置させられ、上記保護部材を前方から見たとき、上記保護部材が、上記ガス導入口、上記ガス導出口、上記第１及び第２継手管の各上端部、並びに上記第１及び第２接続ナット覆うように、上記保護部材の大きさが設定されていることを特徴とするガスメータの接続構造。
【発明の詳細な説明】
【技術分野】
【０００１】
この発明は、ガスメータ及びそのガスメータにガス管を接続するためのガスメータの接続構造に関する。
【背景技術】
【０００２】
一般に、ガスメータには、ガス導入口及びガス導出口がガスメータ本体の上端面に設けられたものと下端面に設けられたものとがある。この発明は、後者のガスメータに関するものである。後者のガスメータにおいては、ガス導入口に一次側ガス管の上端部（下流側端部）に接続され、ガス導出口に二次側ガス管の上端部（上流側端部）が接続される。
【０００３】
下記特許文献１に記載されているように、ガス導入口及びガス導出口を一次側及び二次側ガス管にそれぞれ接続するために、一次側及び二次側ガス管の各上端部には、第１、第２接続ナットが上方へ抜け止めされた状態でそれぞれ設けられている。そして、第１、第２接続ナットをガス導入口及びガス導出口にそれぞれ螺合させて締め付けることにより、ガス導入口及びガス導出口が一次側及び二次側ガス管にそれぞれ接続されている。
【０００４】
【特許文献１】実開平５−９２６５３号公報
【発明の開示】
【発明が解決しようとする課題】
【０００５】
ガスメータのガス導入口及びガス導出口を一次側及び二次側ガス管に接続する際には、ガスメータが地面に載置されることがある。例えば、一次側ガス管と二次側ガス管との間隔を微調整したり、一次側及び二次側ガス管の各上端面にパッキンを装着したりする場合には、ガスメータが地面に載置されることがある。ところが、ガスメータ本体の下端面にガス導入口及びガス導出口が設けられたガスメータにおいては、ガスメータが地面に載置されると、ガス導入口やガス導出口の下端部が地面に接触し、そこに土や砂が付着する。土や砂が付着したまま接続すると、ガス導入口及びガス導出口と一次側及び二次側ガス管との各間に土や砂が介在してしまいガス漏れを来たすおそれがある。
【課題を解決するための手段】
【０００６】
上記の問題を解決するために、この発明に係るガスメータは、ガスメータ本体の下端面に下方に突出するガス導入口及びガス導出口が設けられたガスメータにおいて、上記ガス導入口及び上記ガス導出口には、保護部材の一端部及び他端部がそれぞれ着脱可能に取り付けられており、上記保護部材の下端が上記ガス導入口及び上記ガス導出口の各下端より下方に位置させられていることを特徴としている。
この場合、上記保護部材を前方から見たとき、上記保護部材が上記ガス導入口及び上記ガス導出口を覆うように、上記保護部材の大きさが設定されていることが望ましい。
上記ガス導入口及び上記ガス導出口には、第１及び第２接続ナットが回動可能に、かつ下方へ抜け止め状態でそれぞれ設けられており、上記保護部材を前方から見たとき、上記保護部材が上記ガス導入口、ガス導出口、上記第１接続ナット及び上記第２接続ナットを覆うように、上記保護部材の大きさが設定されていることが望ましい。
上記の問題を解決するために、この発明に係るガスメータの接続構造は、水平な支持部を有するユニット本体、並びに上端部を上記支持板部から上方へ突出させた状態で上記支持部にそれぞれ設けられた第１及び第２継手管を有する支持ユニットの上記第１及び第２継手管の上端部に、ガスメータ本体の下端面に下方に突出するガス導入口及びガス導出口が設けられたガスメータの上記ガス導入口及び上記ガス導出口を、それぞれ第１、第２接続ナットを介して接続するガスメータの接続構造において、上記ガス導入口及び上記ガス導出口には、保護部材の一端部及び他端部がそれぞれ着脱可能に取り付けられており、上記保護部材の下端が、上記ガス導入口及び上記ガス導出口の各下端より下方に位置させられ、上記支持部にほぼ接するように位置させられ、上記保護部材を前方から見たとき、上記保護部材が、上記ガス導入口、上記ガス導出口、上記第１及び第２継手管の各上端部、並びに上記第１及び第２接続ナット覆うように、上記保護部材の大きさが設定されていることを特徴としている。
【発明の効果】
【０００７】
上記特徴構成を有するこの発明においては、ガス導入口及びガス導出口に取り付けられた保護部材の下端がガス導入口及びガス導出口の各下端より下方に位置しているから、ガスメータが地面に載置される場合には、保護部材が地面に接触することになり、ガス導入口及びガス導出口が地面に接触することがない。したがって、ガス導入口及びガス導出口の各下端部に土や砂が付着することを防止することができる。
【発明を実施するための最良の形態】
【０００８】
以下、この発明を実施するための最良の形態を、図面を参照して説明する。
図１〜図８は、この発明の第１実施の形態を示す。図１〜図３に示すように、この実施の形態のガスメータ１は、四角形の箱状をなすガスメータ本体１１を有している。このガスメータ本体１１の内部には、ガスの流量を測定するための機器、その他の機器が設けられているが、それらは公知のものであるとともに、この発明との関連性もないので、その説明は省略する。図２及び図４に示すように、ガスメータ本体１１の下端面１１ａには、下方に向かって突出するガス導入口１２及びガス導出口１３が形成されている。ガス導入口１２とガス導出口１３とは、左右方向へ所定距離だけ離間して配置されている。なお、ガスメータ１には、ガス導入口１２からガスが導入され、ガス導出口１３から外部にガスが導出される。
【０００９】
図５に示すように、ガス導入口１２の下面の外周部には、環状突出部１２ａが形成されている。ガス導入口１２の外周面の下端部には、取付溝１２ｂが形成されている。取付溝１２ｂには、Ｃリング等からなる抜け止めリング１４が上下方向へ移動不能に取り付けられている。抜け止めリング１４はガス導入口１２の外径より大径である。したがって、抜け止めリング１４の外周部は、ガス導入口１２の外周面から径方向外側に突出している。
【００１０】
図２、図４及び図５に示すように、ガス導入口１２の外周面には、第１接続ナット１５が回動可能に、かつ上下方向へ移動可能に設けられている。第１接続ナット１５の内周面には、その上端部に嵌合部１５ａが形成され、嵌合部１５ａより下側に雌ねじ部１５ｂが形成されている。嵌合部１５ａの内径は、ガス導入口１２の外径とほぼ同一か若干大径であり、嵌合部１５ａはガス導入口１２の外周面に回動可能に、かつ上下方向へ移動可能に嵌合されている。ただし、嵌合部１５ａは抜け止めリング１４より上側に配置されており、嵌合部１５ａの内径は抜け止めリング１４の外径より小径になっている。したがって、嵌合部１５ａは、所定位置まで下方へ移動すると、その下面が抜け止めリング１４に突き当たる。この結果、第１接続ナット１５がそれ以上下方へ移動することができなくなる。つまり、第１接続ナット１５が抜け止めリング１４によりガス導入口１２から下方へ抜け止めされている。以下、このときの第１接続ナット１５の位置を抜け止め位置という。第１接続ナット１５が抜け止め位置に位置しているとき、第１接続ナット１５の下端は、ガス導入口１２の下端より下方に位置している。一方、嵌合部１５ａは、抜け止め位置から所定距離だけ上方へ移動すると、その上面がガスメータ本体１１の下端面１１ａに突き当たり、第１接続ナット１５がそれ以上上方へ移動することができなくなる。以下、このときの第１接続ナット１５の位置を上限界位置という。第１接続ナットが上限界位置に位置しているときには、第１接続ナット１５の下端がガス導入口１２の下端とほぼ同一平面上に位置しているが、ガス導入口１２の下端より上側に位置させてもよく、下側に位置させてもよい。嵌合部１５ａを除く第１接続ナット１５の内周面は、抜け止めリング１４の外径より大径になっている。したがって、第１接続ナット１５が抜け止め位置と上限界位置との間を移動するとき、その移動が抜け止めリング１４によって阻害されることはない。
【００１１】
図６に示すように、ガス導出口１３には、環状突出部１３ａ及び取付溝１３ｂが形成されており、取付溝１３ｂには、抜け止めリング１６が取り付けられている。また、ガス導出口１３の外周面には、第２接続ナット１７が回動可能に、かつ上下方向へ移動可能に設けられている。第２接続ナット１７の内周面には、嵌合部１７ａ及び雌ねじ部１７ｂが形成されている。図５と図６との比較によって明らかなように、ガス導出口１３及び第２接続ナット１７は、ガス導入口１２及び第１接続ナット１５とそれぞれ同一に構成されている。しかも、第２接続ナット１７は、ガス導入口１２と第１接続ナット１５と同一の関係をもってガス導出口１３に取り付けられている。そこで、ガス導出口１３及び第２接続ナット１７についての詳細な説明は省略する。
【００１２】
図１〜図３に示すように、ガスメータ本体１１の下側には、保護部材３が配置されている。保護部材３は、プラスチック等の樹脂を成形してなるものであり、図１〜図３及び図７に示すように平面視略四角形の平板状をなし、ガスメータ本体１１の平面視形状とほぼ同一の平面視形状を有している。
【００１３】
図７に示すように、保護部材３の上面３ａの一端部と他端部とには、その背面３ｂからそれぞれ前方に向かって延びる幅狭溝３１，３２が形成されている。幅狭溝３１，３２の左右方向の間隔は、ガス導入口１２とガス導出口１３との間の左右方向の間隔と同一に設定されている。幅狭溝３１，３２の幅は、その背面側の開放部からガス導入口１２及びガス導出口１３をそれぞれ圧入することができる範囲においてガス導入口１２及びガス導出口１３の各外径より狭くなっている。幅狭溝３１，３２の奥側の端部は、略半円状をなす係合部３１ａ，３２ａになっている。各係合部３１ａ，３２ａの内径は、ガス導入口１２及びガス導出口１３をそれぞれ圧入することができる範囲においてそれらの外径より小さく、かつ幅狭溝３１，３２の幅より僅かに大きくなっている。したがって、幅狭溝３１，３２には、その開放部からガス導入口１２及びガス導出口１３を係合部３１ａ，３２ａに突き当たるまでそれぞれ挿入することができ、ガス導入口１２及びガス導出口１３が係合部３１ａ，３２ａにそれぞれ突き当たった状態では、幅狭溝３１，３２の幅が係合部３１ａ，３２ａの内径より小さいので、所定の大きさ以上の力を加えない限り保護部材３をガス導入口１２及びガス導出口１３から取り外すことができない。
【００１４】
保護部材３の下面３ｄには、その背面からそれぞれ前方に向かって延びる幅広溝３３，３４が形成されている。幅広溝３３，３４は、幅狭溝３１，３２と同一位置に配置されている。幅広部３３，３４の幅は、第１及び第２接続ナット１５，１７の最大外径より広く設定されている。したがって、幅広溝３３，３４には、その開放部から第１及び第２接続ナット１５，１７を挿入可能であり、幅狭溝３１，３２にガス導入口１２及びガス導出口１３を挿入すると、それに伴って第１、第２接続ナット１５，１７が幅広溝３３，３４に挿入される。
【００１５】
幅広溝３３，３４の底面３３ａ，３４ａと保護部材３の上面３ａとの間の間隔（幅狭溝３１，３２の深さ）は、抜け止め位置に位置しているときの第１及び第２接続ナット１５，１７の上面とガスメータ本体１１の下端面１１ａとの間の距離とほぼ同等か僅かに狭くなっている。したがって、第１及び第２接続ナット１５，１７を抜け止め位置に位置させると、ガス導入口１２及びガス導出口１３が幅狭溝３１，３２に挿入可能であり、その挿入状態では第１及び第２接続ナットの上面と下端面１１ａとの間に位置するガス導入口１２及びガス導出口１３が前方から見えないように保護部材３によって覆われる。
【００１６】
幅広溝３３，３４の深さは、第１及び第２接続ナット１５，１７の上下方向の長さより深く設定されている。したがって、抜け止め位置に位置している第１及び第２接続ナット１５，１７の上面に幅広溝３３，３４の底面３３ａ，３４ａを接触させた状態で、幅広溝３３，３４に第１及び第２接続ナット１５，１７を挿入すると、保護部材３の下面（下端）３ｄが第１及び第２接続ナット１５，１７の下端より下方に位置する。ここで、抜け止め位置に位置している第１及び第２接続ナット１５，１７の下面３ｄがガス導入口１２及びガス導出口１３の下端面（下端）より下方に位置しているから、保護部材３の下面３ｄはガス導入口１２及びガス導出口１３の下端面より下方に位置する。したがって、幅広溝３３，３４に第１及び第２接続ナット１５，１７を挿入すると、第１、第２接続ナット１５，１７が前方から見えないように保護部材３によって覆われる。
【００１７】
保護部材３の下面３ｄには、逃げ凹部３５が形成されている。この逃げ凹部３５は、幅広溝３３，３４間に配置されている。逃げ凹部３５の深さは、後述するボルトＢの頭部の高さより若干深く設定されている。
【００１８】
上記構成のガスメータ１のガス導入口１２及びガス導出口１３に一次側及び二次側ガス管を接続する場合には、図８〜図１０に示すように、支持ユニット２が用いられる。支持ユニット２は、金属製の板材からなるユニット本体２１を有している。ユニット本体２１は、上下方向に延びる取付板部２１ａと、この取付板部２１ａの上端部から水平方向前方に向かって延びる支持板部２１ｂとを有している。取付板部２１ａは、建物の側壁Ｗに固定されている。支持板部２１ｂの左右の両端部には、一次側継手管２２及び二次側継手管２３が長手方向を上下方向に向けた状態でそれぞれ取り付けられている。一次側及び二次側継手管２２，２３は、左右方向の間隔がガス導入口１２とガス導出口１３との間隔と等しくなるように調整された後、ボルトＢによって支持板部２１ｂに固定されている。一次側継手管２２は、ハンドル２４によって開閉回動操作される弁体（図示せず）が内部に設けられており、ガス栓の機能を有している。一次側継手管２２の下端部には、剛性を有する一次側ガス管（図示せず）が接続される。二次側継手管２３の下端部には、フレキシブル管からなる二次側ガス管（図示せず）が接続される。一次側ガス管としてフレキシブル管を用いてもよく、二次側ガス管として剛性を有するガス管を用いてもよい。
【００１９】
一次側継手管２２の上端部は、支持板部２１ｂから上方に突出している。図５に示すように、支持板部２１ｂから上方に突出した一次側継手管２２の上端部の外周面には、雄ねじ部２２ａが形成されている。一次側継手管２２の上端面の内周部には、環状突出部２２ｂが形成されている。
【００２０】
二次側継手管２３の上端部は、支持板部２１ｂから上方に突出している。図６に示すように、支持板部２１ｂから上方に突出した二次側継手管２３の上端部の外周面には、雄ねじ部２３ａが形成されている。二次側継手管２３の上端面の内周部には、環状突出部２３ｂが形成されている。二次側継手管２３は、ガス導出口１３がガス導入口１２と同様に構成されていることに対応して一次側継手管２２と同様に構成されているが、ガス導出口１３がガス導入口１２と異なる構成とされる場合には、それに対応して一次側継手管２２と異なる構成とされる。
【００２１】
一次側継手管２２及び二次側継手管２３の上端部にガスメータ１のガス導入口１２及びガス導出口１３をそれぞれ接続する場合には、まず、ガスメータ１のガス導入口１２及びガス導出口１３から保護部材３を取り外す。次に、ガスメータ１のガス導入口１２及びガス導出口１３の各軸線を一次側継手管２２及び二次側継手管２３の各軸線とそれぞれ一致させる。その後、図５及び図６に示すように、ガス導入口１２及びガス導出口１３の環状突出部１２ａ，１３ａの内周に一次側継手管２２の環状突出部２２ｂ及び二次側継手管２３の環状突出部をそれぞれ嵌合させる。そして、環状突出部１２ａ，１３ａの各下端面を一次側及び二次側継手管２２，２３の各上端面にパッキンＰ，Ｐを介して突き当てるとともに、一次側継手管２２の環状突出部２２ｂ及び二次側継手管２３の環状突出部の各上端面をガス導入口１２及びガス導出口１３の各下端面にそれぞれ突き当てる。次に、第１、第２接続ナット１５，１７を一次側継手管２２の雄ねじ部２２ａ及び二次側継手管２３の雄ねじ部２３ａにそれぞれ螺合させる。第１、第２接続ナット１５，１７が抜け止め位置に達した後、第１、第２接続ナット１５，１７をさらに締め付けると、一次側及び二次側継手管２２，２３にガス導入口１２及びガス導出口１３がそれぞれ接続固定される。
【００２２】
一次側及び二次側継手管２２，２３にガス導入口１２及びガス導出口１３が固定された状態では、支持板部２１ｂの上面とガスメータ本体１１の下端面１１ａとの間隔が保護部材３の上下方向の寸法とほぼ同一か僅かに広くなっており、それらの間に保護部材３が挿入可能である。そこで、幅狭溝３１，３２にガス導入口１２及びガス導出口１３を係合部３１ａ，３２ａにそれぞれ突き当たるまで挿入することにより、保護部材３がガスメータ本体１１に取り付けられる。このとき、幅広溝３３，３４には、第１及び第２接続ナット１５，１７並びに支持板部２１ｂと第１及び第２接続ナット１５，１７との間に位置する第１及び第２継手管２２，２３の上端部が挿入される。この状態では、支持板部２１ｂとガスメータ本体１１の下端面１１ａとの間に位置する第１及び第２継手管２２，２３の上端部、第１及び第２接続ナット１５，１７並びにガス導入口１２及びガス導出口１３が前方から見えないように保護部材３によって覆われる。したがって、支持ユニット２及びガスメータ１との接続構造の美観を向上させることができる。なお、支持板部２１ｂの上面には、ボルトＢの頭部が突出しているが、この頭部は逃げ部３５内に収容されるので、保護部材３の取付時にボルトＢの頭部が邪魔になることはない。
【００２３】
ここで、ガスメータ１の一次側及び二次側継手管２２，２３への接続前に、例えばパッキンＰが装着されているか否かを確認するために、ガスメータ１を地面に載置することがある。しかるに、ガス導入口１２及びガス導出口１３には、保護部材３が予め装着されており、保護部材３の下面３ｄはガス導入口１２及びガス導出口１３の各下端面より下方に位置している。したがって、ガスメータ１を地面に載置したときには、下面３ｄが地面に接触するだけであり、ガス導入口１２及びガス導出口１３の各下端部が地面に接触することがない。したがって、ガス導入口１２及びガス導出口１３の各下端部に土や砂が付着することを防止することができる。よって、ガス導入口１２及びガス導出口１３と一次側及び二次側継手管２２，２３との各間に土や砂が介在してガス漏れが発生するような事態を確実に防止することができる。
【００２４】
次に、この発明の他の実施の形態について説明する。なお、以下の実施の形態については、上記実施の形態と異なる構成だけを説明することとし、上記実施の形態と同様な構成部分には同一符号を付してその説明を省略する。
【００２５】
図１１〜図１６は、この発明の第２実施の形態を示す。この実施の形態においては、図１２及び図１４に示すように、ガス導入口１２及びガス導出口１３に第１、第２接続ナット１５，１７を設ける代わりに、ガス導入口１２及びガス導出口１３の各外周面に雄ねじ部１２ｃ，１３ｃがそれぞれ形成されている。これに対応して一次側継手管２２及び二次側継手管２３の支持板部２１ｂから上方に突出した各上端部には、雄ねじ部２２ａ，２３ａを設ける代わりに、第１及び第２接続ナット１８，１９がそれぞれ回動可能に、かつ上方へ抜け止めされた状態で設けられている。そして、第１及び第２接続ナット１８，１９を雄ねじ部１２ｃ，１３ｃにそれぞれ螺合させて締め付けることにより、第１及び第２継手管２２，２３の各上端部にガス導入口１２及びガス導出口１３がそれぞれ接続固定されている。
【００２６】
上記のように、第１及び第２継手管２２，２３とガス導入口１２及びガス導出口１３との接続構造が相違しているため、この実施の形態では、保護部材３に代えて保護部材３Ａが用いられている。保護部材３Ａにおいては、第１及び第２接続ナット１８，１９が一次側及び二次側継手管２２，２３に設けられ、一次側継手管２２及び二次側継手管２３の各上面とガスメータ本体１１の下端面１１ａとの間隔が狭くなっていることに対応して、幅広溝３３，３４の深さが深くなり、幅広溝３３，３４の底面３３ａ，３４ａと保護部材３Ａの上面３ａとの間隔が狭くなっている。勿論、幅広溝３３，３４の底面３３ａ，３４ａと保護部材３Ａの上面３ａとの間隔は、一次側第１継手管２２及び二次側継手管２３の各上面とガスメータ本体１１の下端面１１ａとの間隔とほぼ等しくなっている。その他の構成は、上記実施の形態と同様である。
【図面の簡単な説明】
【００２７】
【図１】この発明の第１実施の形態を示す正面図である。
【図２】同実施の形態の背面図である。
【図３】同実施の形態の側面図である。
【図４】同実施の形態のガスメータ本体を示す正面図である。
【図５】一次側継手管にガス導入口を接続固定した状態で示す図４のＸ−Ｘ線に沿う拡大断面図である。
【図６】二次側継手管にガス導出口を接続固定した状態で示す図４のＹ−Ｙ線に沿う拡大断面図である。
【図７】同実施の形態の保護部材を示す図であって、図７（Ａ）はその正面図、図７（Ｂ）はその背面図、図７（Ｃ）はその平面図、図７（Ｄ）はその底面図である。
【図８】同実施の形態のガスメータを支持ユニットに取り付けた状態で示す正面図である。
【図９】同実施の形態のガスメータを支持ユニットに取り付けた状態で示す側面図である。
【図１０】同実施の形態のガスメータを支持ユニットに取り付けた状態で示す要部の背面図である。
【図１１】この発明の第２実施の形態を示す正面図である。
【図１２】同実施の形態の背面図である。
【図１３】同実施の形態の側面図である。
【図１４】同実施の形態のガスメータ本体を示す正面図である。
【図１５】同実施の形態の保護部材を示す図であって、図１５（Ａ）はその正面図、図１５（Ｂ）はその背面図、図１５（Ｃ）はその平面図、図１５（Ｄ）はその底面図である。
【図１６】同実施の形態のガスメータを支持ユニットに取り付けた状態で示す要部の背面図である。
【符号の説明】
【００２８】
１  ガスメータ
３  保護部材
３Ａ  保護部材
１１  ガスメータ本体
１１ａ  下端面
１２  ガス導入口
１３  ガス導出口
１５  第１接続ナット
１７  第２接続ナット
【図１】
2009014593.tif 000003
【図２】
2009014593.tif 000004
【図３】
2009014593.tif 000005
【図４】
2009014593.tif 000006
【図５】
2009014593.tif 000007
【図６】
2009014593.tif 000008
【図７】
2009014593.tif 000009
【図８】
2009014593.tif 000010
【図９】
2009014593.tif 000011
【図１０】
2009014593.tif 000012
【図１１】
2009014593.tif 000013
【図１２】
2009014593.tif 000014
【図１３】
2009014593.tif 000015
【図１４】
2009014593.tif 000016
【図１５】
2009014593.tif 000017
【図１６】
2009014593.tif 000018